(57)【要約】【課題】室内でも違和感なく着用することの可能なネックウォーマーを提供する【解決手段】ネックウォーマー１００は、着用者の首を周回する長さを有する内側生地１１０と、着用者の首を周回する長さを有し、内側生地１１０と一体化した外側生地１２０と、内側生地１１０と外側生地１２０との間に埋め込まれるマグネット１３０とを備えたことを特徴とする。着用者の首を周回する長さを有する内側生地１１０と外側生地１２０との間に、マグネット１３０を埋め込み、簡単に着用できるようにした。このため、ネックウォーマー１００を、シャツ等の襟の内側に装着することが簡単になり、室内でも違和感なく着用することが可能である。【選択図】図１
0003200652.tif 000002
【実用新案登録請求の範囲】
【請求項１】
着用者の首を周回する長さを有する内側生地と、
着用者の首を周回する長さを有し、前記内側生地と一体化した外側生地と、
前記内側生地と前記外側生地との間に埋め込まれるマグネットと、
を備えたことを特徴とする、ネックウォーマー。
【請求項２】
前記内側生地は、前記外側生地に比べて、保温性のある生地であり、
前記外側生地は、前記内側生地に比べて、伸縮性のある生地であることを特徴とする、請求項１に記載のネックウォーマー。
【請求項３】
前記内側生地及び前記外側生地の周囲に、着用者の肩又は胸を覆う被覆部材を備えたことを特徴とする、請求項１又は２に記載のネックウォーマー。
【考案の詳細な説明】
【技術分野】
【０００１】
本考案は、首回りを温めるためのネックウォーマーに関する。
【背景技術】
【０００２】
寒い時季に首回りを温めるものとして、ネックウォーマーが知られている。英語圏では、日本におけるネックウォーマーの類も含めて、スヌードと称されることもある（例えば、非特許文献１参照）。従来のネックウォーマーは、屋外用に作られているものであり、シャツや上着の外側に着用するものであった。
【先行技術文献】
【非特許文献】
【０００３】
【非特許文献１】インターネット＜ＵＲＬ：https://ja.wikipedia.org/wiki/%E3%82%B9%E3%83%8C%E3%83%BC%E3%83%89＞
【考案の概要】
【考案が解決しようとする課題】
【０００４】
しかしながら、従来のネックウォーマーは、着用している人が少ないことやデザイン性に欠けることも多いため、たとえ屋外で作業する人や、寒い日のゴルフ場でも、たまに見かけるに過ぎず、普及が進んでいない。また、従来のネックウォーマーは、屋外用に作られているものであり、オフィスや工場、室内で着用するのは違和感があった。
【０００５】
そこで本考案は、このような問題に鑑みてなされたものであり、その目的とするところは、室内でも違和感なく着用することの可能な、新規かつ改良されたネックウォーマーを提供することにある。
【課題を解決するための手段】
【０００６】
上記課題を解決するために、本考案によれば、着用者の首を周回する長さを有する内側生地と、着用者の首を周回する長さを有し、前記内側生地と一体化した外側生地と、前記内側生地と前記外側生地との間に埋め込まれるマグネットと、を備えたことを特徴とする、ネックウォーマーが提供される。
【０００７】
ネックウォーマーを室内でも違和感なく着用できるためには、シャツ等の襟の内側に装着することが理想である。本考案によれば、着用者の首を周回する長さを有する内側生地と外側生地との間に、マグネットを埋め込み、簡単に着用できるようにした。このため、ネックウォーマーを、シャツ等の襟の内側に装着することが簡単になり、室内でも違和感なく着用することが可能である。
【０００８】
本考案は、さまざまな応用が可能である。例えば、前記内側生地は、前記外側生地に比べて、保温性のある生地（例えば、吸湿発熱繊維など）であり、前記外側生地は、前記内側生地に比べて、伸縮性のある生地であってもよい。本考案は上述したように、シャツ等の襟の内側に装着することができるものである。内側生地を、保湿性の高い生地（例えば、綿など）にすることによって、内側生地を内側にしたときに、肌触りがよい。また、外側生地を、伸縮性の高い生地とすることによって、柔軟性が高い。
【０００９】
また、前記内側生地及び前記外側生地の周囲に、着用者の肩又は胸を覆う被覆部材を（着脱自在に）備えてもよい。さらに保温性や保湿性を高めることができるとともに、デザイン性・ファッション性に優れる。特に、女性に好適である。
【００１０】
上記本考案の応用例は、任意に組み合わせることができる。
【考案の効果】
【００１１】
本考案のネックウォーマーによれば、室内でも違和感なく着用することが可能である。本考案のその他の効果については、以下の考案を実施するための形態の項でも説明する。
【図面の簡単な説明】
【００１２】
【図１】本考案の一実施形態にかかるネックウォーマー１００の構成を概略的に示す図である。
【図２】図１のネックウォーマー１００の装着前後を示す図であり、（ａ）は装着前の状態を示し、（ｂ）は装着後の状態を示す。
【図３】ネックウォーマーの応用例を示す図であり、（ａ）はネックウォーマー２００を示し、（ｂ）はネックウォーマー３００を示す。
【考案を実施するための形態】
【００１３】
以下に添付図面を参照しながら、本考案の好適な実施の形態について詳細に説明する。なお、本明細書及び図面において、実質的に同一の機能構成を有する構成要素については、同一の符号を付することにより重複説明を省略する。
【００１４】
本考案の一実施形態について説明する。図１は、本実施形態にかかるネックウォーマー１００の構成を概略的に示す図である。図２は、図１のネックウォーマー１００の装着前後を示す図であり、図２（ａ）は装着前の状態を示し、図２（ｂ）は装着後の状態を示す。なお、図示したサイズはあくまで一例であり、本考案がこれに限定されるものではない。
【００１５】
まず、図１を参照しながら、本実施形態にかかるネックウォーマー１００の構成について説明する。ネックウォーマー１００は、図１に示したように、着用者の首を周回する長さを有する内側生地１１０と、着用者の首を周回する長さを有し、内側生地１１０と一体化した外側生地１２０と、内側生地１１０と外側生地１２０との間に埋め込まれるマグネット１３０と、を備えたことを特徴とする。以下、ネックウォーマー１００の各構成要素について順に説明する。
【００１６】
（内側生地１１０）
内側生地１１０は、着用時に着用者の身体の側に来る生地である。このような内側生地１１０としては、後述する外側生地１２０に比べて、保温性のある生地を採用することができる。この他にも生地の性質としては、肌触りに優れることや、吸湿発熱性のある生地などを採用することができる。
【００１７】
内側生地１１０を構成する生地の一例としては、例えば、ボディヒーター（登録商標、株式会社イトーヨーカ堂）を採用することができる。ボディヒーターの素材は、アクリル６０％、レーヨン３０％、シルク５％、ポリウレタン５％からなる。
【００１８】
内側生地１１０のサイズ（ネックウォーマー１００のサイズ）は任意である。例えば、子供用・成人女性用・成人男性用などに応じて、様々なサイズのものとすることができる。
【００１９】
（外側生地１２０）
外側生地１２０は、着用時に着用者の身体の外側に来る生地であり、上述した内側生地１１０と一体化されている。このような外側生地１２０としては、上述した内側生地１１０に比べて、伸縮性のある生地を採用することができる。このような生地としては、例えば、綿生地を採用することができる。
【００２０】
また、外側生地１２０は、他者の目にも触れるものであるため、デザインを考慮することが好ましい。シャツ等の襟の内側に装着することから、地味な色合いにしてもよい。また逆に、ファッション性の高いカラフルなデザインにしてもよい。
【００２１】
以上のように、内側生地１１０と外側生地１２０とでは、材質が異なるため、着用者が内側・外側の区別ができるようにしてもよい。例えば、内側・外側を区別するための表示やタグなどを設けてもよい。
【００２２】
（マグネット１３０）
マグネット１３０は、内側生地１１０と外側生地１２０との間に、両端にそれぞれ埋め込まれる。マグネット１３０は、例えば、薄いシート状にしたり、小さなボタン状とすることができる。マグネット１３０の磁力は、着脱するのに適切で、かつ容易に離脱しない適切な磁力とすることができる。マグネット１３０を内側生地１１０と外側生地１２０との間に埋め込むことで、マグネット１３０を外部から視認しづらくなり、デザイン性に優れている。
【００２３】
以上、本実施形態にかかるネックウォーマー１００の構成について説明した。次に、図２を参照しながら、ネックウォーマー１００の着脱について説明する。
【００２４】
まず、図２（ａ）は、ネックウォーマー１００の装着前の状態である。ネックウォーマー１００を着用する際には、ネックウォーマー１００の両端を手で持って首の前から後ろに巻く。そして、首の後ろで、両端のマグネット１３０を留め、リング状にする。図２（ｂ）は、首の周りにネックウォーマー１００を着用した状態である。
【００２５】
このように、ネックウォーマー１００を着用する際には、マグネット１３０で留めることができるため、着脱が容易である。ネックウォーマー１００を、シャツ等の襟の内側に装着することも簡単である。
【００２６】
（本実施形態の効果）
以上説明したように、本実施形態によれば、着用者の首を周回する長さを有する内側生地１１０と外側生地１２０との間に、マグネット１３０を埋め込み、簡単に着用できるようにした。このため、ネックウォーマー１００を、シャツ等の襟の内側に装着することが簡単になり、室内でも違和感なく着用することが可能である。
【００２７】
また、内側生地１１０を、外側生地１２０に比べて、吸湿発熱繊維等の保温性のある生地としたことで、肌触りがよい。また、外側生地１２０を、内側生地１１０に比べて、伸縮性の高い生地とすることによって、柔軟性が高い。このため、ネックウォーマー１００は、シャツ等の襟の内側に装着するのに好適である。
【００２８】
次に、上記実施形態のネックウォーマー１００の応用例について、図３を参照しながら説明する。
【００２９】
（応用例１）
図３（ａ）は、第１の応用例として、ネックウォーマー２００を示す。ネックウォーマー２００は、内側生地２１０及び外側生地２２０の周囲に飾り部２４０を備えたことを特徴とする。なお、内側生地２１０、外側生地２２０及びマグネット２３０は、上記実施形態の内側生地１１０、外側生地１２０及びマグネット１３０と同様である。
【００３０】
飾り部２４０は、本考案を構成する被覆部材の一例であり、輪２４０ａの部分に、内側生地２１０と外側生地２２０を通すように、設けることができる。なお、輪２４０ａは着脱自在であってもよい。また、輪２４０ａは、着脱はできずに、内側生地２１０と外側生地２２０に対して相対移動できるようになっていてもよい。
【００３１】
飾り部２４０は、ネックウォーマー２００の着用者の胸元を覆い隠すことができる。なお、図３（ａ）に示した飾り部２４０の形態は一例に過ぎず、飾り部２４０として、色や形にさまざまなバリエーションを持たせることができる。
【００３２】
以上説明したように、応用例１のネックウォーマー２００によれば、さらに保温性や保湿性を高めることができるとともに、デザイン性・ファッション性に優れる。特に、女性に好適である。
【００３３】
（応用例２）
図３（ｂ）は、第２の応用例として、ネックウォーマー３００を示す。ネックウォーマー３００は、内側生地３１０及び外側生地３２０の周囲に覆い部３４０を備えたことを特徴とする。なお、内側生地３１０、外側生地３２０及びマグネット３３０は、上記実施形態の内側生地１１０、外側生地１２０及びマグネット１３０と同様である。
【００３４】
覆い部３４０は、本考案を構成する被覆部材の一例であり、このネックウォーマー３００の着用者の肩や胸の部分を覆うことができる。例えば、覆い部３４０の素材として、紫外線対策を施したレース生地にすれば、紫外線対策に加えて、高級感を持たせることができる。なお、図３（ｂ）に示した覆い部３４０の領域は、一例に過ぎず、任意の領域にすることができる。また、男性用と女性用とで異なる領域とすることができる。
【００３５】
以上説明したように、応用例２のネックウォーマー３００によれば、さらに保温性や保湿性を高めることができるとともに、デザイン性・ファッション性に優れる。特に、女性に好適である。
【００３６】
以上、添付図面を参照しながら本考案の好適な実施形態について説明したが、本考案はかかる例に限定されないことは言うまでもない。当業者であれば、実用新案登録請求の範囲に記載された範疇内において、各種の変更例又は修正例に想到し得ることは明らかであり、それらについても当然に本考案の技術的範囲に属するものと了解される。
【００３７】
例えば、上記実施形態では、内側生地１１０と外側生地１２０の例として、内側生地１１０は、外側生地１２０に比べて、吸湿発熱繊維等の保温性のある生地であり、外側生地１２０は、内側生地１１０に比べて、伸縮性のある生地であることについて説明したが、本考案はこれに限定されず、任意の生地を採用することができる。例えば、内側生地と外側生地を同じ生地にしてもよい。内側生地と外側生地を同じ生地にした場合は、生地の柄やデザインを工夫することで、リバーシブルのネックウォーマーにしてもよい。
【産業上の利用可能性】
【００３８】
本考案は、首回りを温めるためのネックウォーマーに利用可能である。
【符号の説明】
【００３９】
１００  ネックウォーマー
１１０  内側素材
１２０  外側素材
１３０  マグネット
２００  ネックウォーマー
２１０  内側素材
２２０  外側素材
２３０  マグネット
２４０  飾り部
３００  ネックウォーマー
３１０  内側素材
３２０  外側素材
３３０  マグネット
３４０  被覆部
【図１】
0003200652.tif 000003
【図２】
0003200652.tif 000004
【図３】
0003200652.tif 000005